(57)【要約】【課題】複数の点光源からなる光源を構成する画像読取装置において、物面照度ムラ及び像面照度ムラを低減する。【解決手段】ＬＥＤ素子Ｌ１〜Ｌ２２をライン状に整列させて光源を構成する。原稿の画像面は、光源１２からの直接照射光と、光源１２から反射板８１の反射面８１ａで反射された間接照射光とによって照射される。反射面８１を細かい波ｂを物面照度ムラのピッチと同じ繰り返しで形成することで、直接照射ムラを低減する。また、反射面８１ａの中側を凹状に滑らかに窪ませることで、コサイン４乗則に起因する、物面照度ムラを低減する。【選択図】図８
2008175885.tif 000002
【特許請求の範囲】
【請求項１】
原稿の画像面を光源によりライン状に照射し、前記ラインと前記原稿とが交差するように前記光源又は前記原稿を移動させ、前記光源から出射されて前記原稿の画像面で反射された反射光を結像レンズを通して固定撮像素子に導く画像読取装置において、
ライン状に整列されて前記光源を構成し、前記原稿の画像面を直接照射する点光源としての複数の光源素子と、
前記複数の光源素子から照射された光を反射して前記原稿の画像面を間接照射する反射部材と、を備え、
前記反射部材は、前記複数の光源素子から照射された光を、前記複数の光源素子からの直接照射による前記画像面での物面照度ムラを低減するように反射して前記画像面を間接照射する反射面を有する、
ことを特徴とする画像読取装置。
【請求項２】
前記反射面は、前記複数の光源素子の整列状態に対応して交互に繰り返される、反射率の低い部分と高い部分とを有する、
ことを特徴とする請求項１に記載の画像読取装置。
【請求項３】
前記反射面は、前記複数の光源素子の整列方向に沿って、前記複数の光源素子、及び相互に隣接する前記光源素子間に対応する凹凸を有する、
ことを特徴とする請求項２に記載の画像読取装置。
【請求項４】
前記反射面は、前記光源素子に対応する部分が凹状に形成され、相互に隣接する前記光源素子間に対応する部分が凸状に形成されている、
ことを特徴とする請求項３に記載の画像読取装置。
【請求項５】
前記反射面は、前記複数の光源素子からの直接照射に基づく反射光が前記結像レンズを介して前記固体撮像素子に導光された際の照度を直接照射に基づく像面照度とすると、前記複数の光源素子から照射された光を前記直接照射に基づく像面照度ムラを低減するように反射して前記画像面を間接照射する、
ことを特徴とする請求項１乃至４のいずれか１項に記載の画像読取装置。
【請求項６】
前記反射面は、前記複数の光源素子の整列方向に沿った中央側が両端側に対して窪んだ凹状に形成されている、
ことを特徴とする請求項５に記載の画像読取装置。
【請求項７】
前記複数の光源素子と前記原稿の画像面との間に介装された導光レンズを有し、前記複数の光源素子から照射された照射光は、前記導光レンズを通って前記画像面を直接照射する、
ことを特徴とする請求項１乃至６のいずれか１項に記載の画像読取装置。
【請求項８】
前記光源素子が白色ＬＥＤである、
ことを特徴とする請求項１乃至７のいずれか１項に記載の画像読取装置。
【請求項９】
原稿の画像を読み取る画像読取部と、前記画像読取部によって読み取られた原稿の画像情報に基づいてシート上に画像を形成する画像形成部と、前記画像形成部にシートを供給するシート給送部と、を備えた画像形成装置において、
前記画像読取部に、請求項１乃至８のいずれか１項に記載の画像読取装置が配設されている、
ことを特徴とする画像形成装置。
【発明の詳細な説明】
【技術分野】
【０００１】
本発明は、点光源である複数の光源素子をライン状に整列させて光源を構成し、この光源で原稿を照射したときの反射光に基づいて画像を読み取る画像読取装置に関する。
【背景技術】
【０００２】
複写機，プリンタ，ファクシミリ等の画像形成装置に使用される画像読取装置は、光源によって原稿の画像面を照射し、その反射光を結像レンズを介して固体撮像素子に導くことで画像を読み取る。
【０００３】
一般に、光源としてはキセノンランプ等の棒状の光源を使用し、その長手方向を主走査方向に向けた状態で光照射し、副走査方向に移動させる。これにより、画像面全体を照射（走査）して画像を読み取るようにしている。
【０００４】
ところで、棒状の光源においては、主走査方向の照射位置による画像面の照度（物面照度）のばらつきが発生する。光源の長手方向の中央部近傍の光量に対して、両端部近傍の光量が低下するため、中央部近傍に対して両端部近傍の物面照度が低下して、照度ムラが発生する。
【０００５】
このような、照度ムラを防止するようにした技術が特許文献１に提案されている。
【０００６】
このものは、棒状の光源の両端部に、光源から発光された光を画像面に向けて反射させるサブリフレクタを設けて、両端部近傍の物面照度を高めるようにしたものである。
【特許文献１】特開２００２−３３０２６４号公報
【発明の開示】
【発明が解決しようとする課題】
【０００７】
近時、キセノンランプ等の棒状の光源に代えて、点光源である光源素子（例えば、ＬＥＤ素子）を複数個、主走査方向にライン状に整列させて光源を構成するものが知られている。このような光源を使用して、画像面を主走査方向にライン状に照射した場合、照射面における、光源素子に対応する部分と、隣接する２つの光源素子の中間に対応する部分とでは、物面照度に差異が生じる。一般に、前者が明るく、後者が暗くなり、全体として明暗が光源素子の個数に対応して繰り返される。このような、光源が点光源の集合で構成されていることに起因する物面照度ムラに対しては、上述の特許文献１のような技術をそのまま適用して物面照度ムラを解消することは困難である。
【０００８】
そこで、本発明は、光源からの光を反射して間接的に画像面を間接照射する反射部材を、光源からの直接照射による物面照度ムラを低減するような形状に形成することにより、直接照射及び間接照射による全体としての物面照射ムラをなくすようにした画像読取装置及びそれを備えた画像形成装置を提供することを目的とするものである。
【課題を解決するための手段】
【０００９】
請求項１に係る発明は、原稿の画像面を光源によりライン状に照射し、前記ラインと前記原稿とが交差するように前記光源又は前記原稿を移動させ、前記光源から出射されて前記原稿の画像面で反射された反射光を結像レンズを通して固定撮像素子に導く画像読取装置に関する。本発明に係る画像読取装置は、ライン状に整列されて前記光源を構成し、前記原稿の画像面を直接照射する点光源としての複数の光源素子と、前記複数の光源素子から照射された光を反射して前記原稿の画像面を間接照射する反射部材と、を備え、前記反射部材は、前記複数の光源素子から照射された光を、前記複数の光源素子からの直接照射による前記画像面での物面照度ムラを低減するように反射して前記画像面を間接照射する反射面を有する、ことを特徴としている。
【００１０】
請求項２に係る画像読取装置は、請求項１に係る画像読取装置において、前記反射面は、前記複数の光源素子の整列状態に対応して交互に繰り返される、反射率の低い部分と高い部分とを有する、ことを特徴としている。
【００１１】
請求項３に係る画像読取装置は、請求項２に係る画像読取装置において、前記反射面は、前記複数の光源素子の整列方向に沿って、前記複数の光源素子、及び相互に隣接する前記光源素子間に対応する凹凸を有する、ことを特徴としている。
【００１２】
請求項４に係る発明は、請求項３に係る画像読取装置において、前記反射面は、前記光源素子に対応する部分が凹状に形成され、相互に隣接する前記光源素子間に対応する部分が凸状に形成されている、ことを特徴としている。
【００１３】
請求項５に係る発明は、請求項１乃至４のいずれか１項に係る画像読取装置において、前記反射面は、前記複数の光源素子からの直接照射に基づく反射光が前記結像レンズを介して前記固体撮像素子に導光された際の照度を直接照射に基づく像面照度とすると、前記複数の光源素子から照射された光を前記直接照射に基づく像面照度ムラを低減するように反射して前記画像面を間接照射する、ことを特徴としている。
【００１４】
請求項６に係る発明は、請求項５に係る画像読取装置において、前記反射面は、前記複数の光源素子の整列方向に沿った中央側が両端側に対して窪んだ凹状に形成されている、ことを特徴としている。
【００１５】
請求項７に係る発明は、請求項１乃至６のいずれか１項に係る画像読取装置において、前記複数の光源素子と前記原稿の画像面との間に介装された導光レンズを有し、前記複数の光源素子から照射された照射光は、前記導光レンズを通って前記画像面を直接照射する、ことを特徴としている。
【００１６】
請求項８に係る発明は、請求項１乃至７のいずれか１項に係る画像読取装置において、前記光源素子が白色ＬＥＤである、ことを特徴としている。
【００１７】
請求項９に係る発明は、原稿の画像を読み取る画像読取部と、前記画像読取部によって読み取られた原稿の画像情報に基づいてシート上に画像を形成する画像形成部と、前記画像形成部にシートを供給するシート給送部と、を備えた画像形成装置に関する。この発明に係る画像形成装置は、前記画像読取部に、請求項１乃至８のいずれか１項に記載の画像読取装置が配設されている、ことを特徴としている。
【発明の効果】
【００１８】
請求項１の発明によれば、複数の光源素子よる画像面の直接照射では、光源素子が点光源であるという構造上の特性に起因して画像面での物面照度ムラが発生するが、複数の光源素子からの光を反射して画像面を間接照射する反射部材の反射面が、直接照射に起因する物面照度ムラを低減するように画像面を間接照射するので、直接照射と間接照射とのトータルとして、物面照度ムラを低減することができる。
【００１９】
請求項２の発明によれば、反射面に反射率の高い部分と低い部分とを設けることにより、直接照射による物面照度ムラを低減することができる。
【００２０】
請求項３の発明によれば、光源素子、及び相互に隣接する光源素子間に凹凸を設けることで、反射率の低い部と高い部分とを設けることができ、これにより、物面照度ムラを低減することができる。
【００２１】
請求項４の発明によれば、反射面のうち、光源素子に対応する部分を凹状に形成することで反射率を低くする一方、相互に隣接する光源素子間に対応する部分を凸状に形成することで反射率を高くすることができる。
【００２２】
請求項５の発明によれば、固体撮像素子における、直接照射光に基づく像面照度ムラを、間接照射光によって低減することができる。
【００２３】
請求項６の発明によれば、反射面を、中央側が両端側に対して窪んだ凹状に形成することにより、結像レンズのコサイン４乗則に起因する像面照度ムラを低減することができる。
【００２４】
請求項７の発明によれば、導光レンズにより、直接照射による物面照度ムラを補正することが可能である。
【００２５】
請求項８の発明によれば、光源素子は、白色ＬＥＤであるので、他の色のＬＥＤ光源と比較して、カラーの画像読取りや高速での画像読取りに適している。
【００２６】
請求項９の発明によれば、画像読取装置における上述の請求項１〜８の効果を、画像形成装置として奏することができる。
【発明を実施するための最良の形態】
【００２７】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
【００２８】
＜実施形態１＞
図１〜図４を参照して、本発明に係る画像読取装置１１について説明する。このうち、図１，図２は、画像読取装置１１の縦断面を正面側（前側）から見た図であり、さらに、図１は光学系を、また図２は駆動系を説明する図である。図３，図４は、光源１２と原稿のサイズと画像読取時の原稿の位置との関係を説明する上面図であり、さらに、図３は原稿サイズがＡ列，Ｂ列である場合、また図４は原稿サイズがインチサイズである場合を示している。なお、以下の説明では、図１〜図４中における左右を、画像読取装置１１の左右として、また図１，図２中における上下を、画像読取装置１１の上下として、また図３，図４中における下、上をそれぞれ画像読取装置１１の前、後として説明する。さらに、図３，図４中における原稿の上下方向の長さを通紙幅（又は単に「幅」）、左右方向の長さを搬送方向長さ（又は単に「長さ」）とする。
【００２９】
図２に示すように、画像読取装置１１は、照明装置１０と結像レンズ１３とＣＣＤ（固体撮像素子）１４とを備えている。さらに、照明装置１０は、光源１２と駆動装置（移動装置）１５とを備えている。これら光源１２、駆動装置１５、照明装置１０、結像レンズ１３、ＣＣＤ１４は、いずれも直方体状の筐体（フレーム）１６の内側の収納室Ｓに配設されている。筐体１６は、その上面に開口部１７を有していて、この開口部１７には、透明なコンタクトガラス１８が配設されている。後述するように、原稿Ｇを固定読みする際には、原稿Ｇがこのコンタクトガラス１８上に、後端基準で載置される。コンタクトガラス１８の左端には、後述する左指示板２０が配設されていて、この左指示板２０の左側には、原稿Ｇの流し読み（後述）時に使用されるコンタクトガラス１８ａが配設されている。
【００３０】
図３，図４に示すように、コンタクトガラス１８は、その上面に載置されるシート状の原稿Ｇのうちの、サイズが最大な原稿Ｇよりも大きい長方形状に形成されている。コンタクトガラス１８における、左端には前後方向に長い左指示板２０が、また後端及び前端には、それぞれ左右方向に長い後指示板２１、前指示板２２が配設されている。左指示板２０の後端と後指示板２１の左端とが交差する位置が、読取基準位置Ｐ０１となっている。コンタクトガラス１８に載置される原稿Ｇは、その１つの角部、すなわち左端でかつ後端に位置する角部（基準の角部）をこの読取基準位置Ｐ０１に合わせた位置（所定の位置）に、いわゆる後端基準で載置される。
【００３１】
図３，図４においては、基準の角部を読取基準位置Ｐ０１に合わせた状態の種々のサイズの原稿Ｇを図示している。ここで、各サイズの原稿Ｇにおける、基準の角部の対角に相当する位置には、それぞれの原稿Ｇのサイズ、及び向きを表示してある。例えば、図３中のＢ５，Ａ４は、それぞれの原稿Ｇにおける「長辺」を左指示板２０に合わせたときの原稿の位置を示す。以下、これを原稿Ｇの「横置き」という。また、Ｂ５Ｒ，Ａ４Ｒは、それぞれの原稿Ｇにおける「短辺」を左指示板２０に合わせたときの原稿Ｇの位置を示している。以下、この「Ｒ」が付されたものを原稿の「縦置き」といって、「横置き」とは区別している。なお、これに従うと、図３中の「Ｂ４」，「Ａ３」については、本来、「Ｂ４Ｒ」，「Ａ３Ｒ」と表記すべきものであるが、これらのサイズの原稿Ｇは、横置きすることができず、つまり、一通りの置き方しかできず、区別する必要がないので、簡略化して表記している。
【００３２】
上述の「Ｂ５」，「Ｂ５Ｒ」，「Ａ４」，「Ａ４Ｒ」，「Ｂ４」，「Ａ３」等の表記は，実際は、コンタクトガラス１８上ではなく、左指示板２０及び後指示板２１に表記されている。例えば、左指示板２０における符号Ｐ１，Ｐ２，Ｐ３，Ｐ４で示す位置には、この順に「Ｂ５Ｒ」，「Ａ４Ｒ」，「Ｂ５，Ｂ４」，「Ａ４，Ａ３」という表記なされている。一方、後指示板２１における符号Ｐ５，Ｐ６，Ｐ７，Ｐ８で示す位置には、この順に「Ｂ６Ｒ，Ｂ５」，「Ａ５Ｒ，Ａ４」，「Ｂ５Ｒ」，「Ａ４Ｒ」という表記がなされている。これにより、ユーザは、原稿Ｇをコンタクトガラス１８上の所定の位置に載置したときに、その原稿サイズ及び向きを知ることができる。したがって、例えば、原稿Ｇの画像読取り結果に基づいて複写機やプリンタによって紙等のシート上に画像を形成するような場合には、画像形成に供されるシートのサイズや向きを選択する際の参考とすることができる。なお、図４中では、原稿サイズを、インチサイズで表示している。図３中のコンタクトガラス１８における、「Ａ４，Ａ３」の通紙幅よりも少し狭い幅が、画像の最大読取幅（最大照射幅）となり、また図３中のコンタクトガラス１８における、「Ａ３」の搬送長さよりも少し長い範囲が、画像の最大読取長さ（最大照射長さ）となる。後述する光源１２は、最大読取幅と最大読取長さとに囲まれた最大読取領域全体を照射することができるようになっている。
【００３３】
図１〜図４に示すように、コンタクトガラス１８の左端側の下方には、照明用光学移動枠ユニット２３が配設されている。照明用光学移動枠ユニット２３は、上述の最大読取幅よりも前後方向の長さが長い移動枠２４を有している。この移動枠２４には、光源１２が取り付けられた光源用メイン基板（基板）２５と、反射板（反射部材）２６と、第１ミラー２７が搭載されている。このうち光源用メイン基板２５は、図３，図４に示すように、前後方向の長さが、最大読取幅よりも長くなるように形成されていて、その上面には、光源１２及び導光レンズ１９が取り付けられている。本実施形態では、光源１２は、点光源であるＬＥＤ素子（光源素子）Ｌ１〜Ｌ２２を複数（図３，図４では２２個）、前後方向にライン状に整列させて構成している。ここで、ライン状とは、１本の直線上に整列された場合に限らず、例えば千鳥状に整列して、実質的に直線状である場合も含めるものとする。これらＬＥＤ素子Ｌ１〜Ｌ２２は、ライン方向（前後方向）に沿って原稿の画像面をムラ無く照射できる所定のピッチＰ（本実施形態では１５ｍｍ）で整列されている。図３，図４において、最後端のＬＥＤ素子Ｌ１の中心から、最前端のＬＥＤ素子Ｌ２２の中心までの距離が、３１５ｍｍ（＝１５ｍｍ×２１）に設定されていて、これらＬＥＤ素子Ｌ１とＬＥＤ素子Ｌ２２との間に、図３に示す例では、通紙幅が最大のＡ４サイズの原稿の長辺（＝２９７ｍｍ）、またはＡ３サイズの原稿の短辺（＝２９７ｍｍ）が入るように、また図４に示す例では、長辺又は短辺の長さが１１インチ（≒２７９ｍｍ）の原稿の長辺又は短辺が入るように設定されている。複数のＬＥＤ素子Ｌ１〜Ｌ２２によって構成された光源１２は、図１に示すように、コンタクトガラス１８の上面に設定されている読取ラインＬを右斜め下方から直接照射するようになっている。これらＬＥＤ素子Ｌ１〜Ｌ２２は、図１に示す制御手段７０によって、個別に点灯（オン）及び消灯（オフ）が制御される。また、そのタイミングについても個別に制御されるようになっている。
【００３４】
図１に示すように、反射板２６は、読取ラインＬから下ろした垂線に対して、上述の光源１２とほぼ線対称の位置に配置されている。上述のように、光源１２は、コンタクトガラス１８上の原稿Ｇを右斜め下方から照射しているため、原稿の左端に影が形成されて、この影が前後方向の直線上の画像として読み込まれがちである。反射板２６は、光源１２からの光を反射面２６ａで反射して読取ラインＬに導いて、この影を除去する。なお、本実施形態では、反射板２６は、光源１２からの光を反射して原稿Ｇの画像面を間接照射し、これにより、直接照射による物面照度ムラや像面照度ムラを低減する部材としても使用されている。反射板２６については後に詳述する。
【００３５】
照明用光学移動枠ユニット２３における、読取ラインＬの直下に位置する部分には、第１ミラー２７が配設されている。第１ミラー２７は、左斜め上の４５度を向けた状態で取り付けられている。以上のように、照明用光学移動枠ユニット２３は、移動枠２４に光源１２、光源用メイン基板２５、反射板２６、第１ミラー２７を搭載した状態で、左右方向に敷設した光学レール（ガイド部材）２９に沿って左右方向に移動できる。つまり、ライン状（線状）の光源１２に対して、直交する方向に移動することができるようになっている。この照明用光学移動枠ユニット２３は、右方に移動しながら読取ラインＬに向けて光源１２から光を照射し、原稿の画像面からの反射光を次に説明する第２ミラー２８に導くものである。
【００３６】
図１，図２に示すように、コンタクトガラス１８の左端側の下方には、上述の照明用光学移動枠ユニット２３の左方に、反射用光学移動枠ユニット３０が配設されている。反射用光学移動枠ユニット３０は、上述の最大読取幅よりも前後方向の長さが長い移動枠３１を有している。この移動枠３１には、右斜め下４５度を向けた状態で第２ミラー２８が、また右斜め上４５度を向けた姿勢で第３ミラー３２が搭載されている。さらに、この移動枠３１は、その前端と後端とにおいて、可動プーリ３３を回動自在に支持している。以上のように、反射用光学移動枠ユニット３０は、第２ミラー２８、第３ミラー３２、可動プーリ３３を搭載した状態で、左右方向に敷設された光学レール（ガイド部材）２９に沿って左右方向に移動できるようになっている。この反射用光学移動枠ユニット３０は、右方に移動しながら、上述の照明用光学移動枠ユニット２３の第１ミラー２７からの光を第２ミラー２８、第３ミラー３２で反射して後述の結像レンズ１３に導くものである。
【００３７】
図２に示すように、筐体１６の左端近傍には前端と後端とに固定左プーリ３４，３４が、また筐体１６の右端近傍には前端と後端とに固定右プーリ３５，３５がそれぞれ回動自在に配設されている。また、図２中の固定右プーリ３５，３５の下方には、正逆回転可能なモータ３６が配設されている。さらに、モータ３６の左方には、駆動軸３７と一体の駆動プーリ３８が配設されていて、モータ３６の出力軸４０と駆動プーリ３８との間には、駆動ベルト４１が張設されている。駆動軸３７の前端と後端とには、ワイヤドラム４２，４２が固定されており、これらワイヤドラム４２，４２には、それぞれ光学ワイヤ４３，４３が巻き掛けられている。これら光学ワイヤ４３，４３の一方の端部４４，４４は、筐体１６の左側壁４５の内面に固定されている。光学ワイヤ４３，４３は、ここから右方に延びて、反射用光学移動枠ユニット３０の可動プーリ３３，３３の右半部に掛け渡されて左方に折り返し、固定左プーリ３４，３４の左半部に掛け渡された後、右方に折り返して固定右プーリ３５，３５に向かって延びる。さらに、固定右プーリ３５，３５の右半部に掛け渡されて左方に延び、途中で照明用光学移動枠ユニット２３に固定された後、さらに左方に延びて、可動プーリ３３，３３の左半部に掛け渡されて右方に折り返し、レンズ取付台４６上に突設されたフック４７に係止される。このような光学ワイヤ４３，４３の引き回しに基づき、モータ３６が図２中の反時計回りに回転すると、駆動ベルト４１、駆動プーリ３８、駆動軸３７を介して、ワイヤドラム４２，４２が同じく反時計回りに回転する。これに伴い、光学ワイヤ４３，４３に引かれて、照明用光学移動枠ユニット２３及び反射用光学移動枠ユニット３０が右方に移動する。この際、反射用光学移動枠ユニット３０は、その可動プーリ３３，３３がいわゆる動滑車として作用するため、移動距離が照明用光学移動枠ユニット２３の移動距離の半分となる。これにより、照明用光学移動枠ユニット２３及び反射用光学移動枠ユニット３０の移動にかかわらず、コンタクトガラス１８から結像レンズ１３に至る光路長が一定に保持されて、次に説明する結像レンズ１３を通過した光がＣＣＤ１４上で像を結ぶようになっている。なお、本実施形態では、上述のように光源１２を移動させるための構成全体が駆動装置（移動装置１５）に相当する。
【００３８】
図２に示すように、結像レンズ１３は、上述のレンズ取付台４６に固定されたレンズ取付板４８上に固定されている。光源１２から照射された光は、原稿Ｇの画像面で反射されて、同図に示す光路Ｋをたどる。すなわち、画像面からの反射光は、第１ミラー２７、第２ミラー２８、第３ミラー３２で反射されて結像レンズ１３に入射される。入射された光は、次に説明するＣＣＤ１４上で結像される。
【００３９】
ＣＣＤ１４は、その左端面に固定されて上端部５０が左方に折曲されたＣＣＤ取付板５１を介して、上述のレンズ取付台４６に固定された「コ」字形のＣＣＤ調整板５２に取り付けられている。ＣＣＤ調整板５２の前端部と後端部には、内径に雌ねじが螺刻されたボス５３，５３が固定されていて、これらのボス５３，５３には、ＣＣＤ取付板５１の上端部５０を貫通したピン５４，５４が螺合されている。さらに、ＣＣＤ取付板５１とＣＣＤ調整板５２との間には、圧縮ばね５５，５５が介装されていて、ＣＣＤ取付板５１を上方に付勢している。この状態で、ピン５４，５４を時計回りあるいは反時計回りに回すことで、ＣＣＤ取付板５１を介してＣＣＤ１４の高さ位置を微調整することができる。この微調整をＣＣＤ１４の前端部及び後端部で行うことで、ＣＣＤ１４の上下方向の位置調整を行うことができるようになっている。
【００４０】
本実施形態では、画像読取装置１１は、図２に示すように、原稿Ｇの流し読み時の移動装置に相当する自動原稿給送装置６０を備えている。自動原稿給送装置６０全体は、後端側が、筐体１６におけるコンタクトガラス１８の後方に位置する部分によって揺動自在に支持されており、前端側がほぼ上下方向に開閉自在になっている。自動原稿給送装置６０は、原稿Ｇの搬送方向に沿っての上流側から順に配設された給紙トレイ６１、搬送ローラ６２、排紙ガイド６３、排紙トレイ６４等を備えている。このうち排紙ガイド６３は、上述の左指示板２０の左端側の上面に、右上がりの傾斜面として形成されている。
【００４１】
給紙トレイ６１には、載置された原稿Ｇの後端及び前端（原稿Ｇの搬送方向に向かってみた場合の左端及び右端）の位置を規制するサイド規制板６５，６６が前後方向（原稿Ｇの先端における通紙幅方向）に移動自在に配設されている。これらサイド規制板６５，６６の間には、例えば、ラック＆ピニオン等の連動機構（不図示）が介装されていて、給紙トレイ６１の通紙幅方向の中心に向けて一方のサイド規制板６５（又は６６）を移動させると、他方のサイド規制板６６（又は６５）も同様に中心に向かって移動し、また、この逆に、一方のサイド規制板６５（又は６６）を中心から遠ざかる方向に移動させると、他方のサイド規制板６６（又は６５）も同様に中心から遠ざかる方向に移動する。つまり、給紙トレイ６１上に原稿Ｇを載置した後、サイド規制板６５，６６をそれぞれ原稿Ｇの後端及び前端に押し当てることにより、通紙幅の異なる種々の原稿Ｇを給紙トレイ６１の通紙幅方向の中央に配置することができる。すなわち、自動原稿給送装置６０を使用して原稿Ｇを流し読みする場合には、原稿Ｇは中央基準で読み取られるようになっている。
【００４２】
給紙トレイ６１には、載置された原稿Ｇの通紙幅を検知するためのサイズ検知センサ（不図示）が配置されている。上述のように、給紙トレイ６１に載置された原稿Ｇは、サイド規制板６５，６６がそれぞれ後端，前端に当接されることで、給紙トレイ６１の前後方向の中央に位置決めされる。サイズ検知センサは、このときのサイド規制板６５，６６の位置を検知することで、原稿Ｇの通紙幅を検知することができる。
【００４３】
上述構成の画像読取装置１１は、原稿Ｇの画像を読み取る際に、原稿Ｇを固定して光源１２を移動させる固定読みと、光源１２を固定して原稿Ｇを移動させる流し読みとの双方を行うことができる。また、いずれの場合も、原稿Ｇの照射に必要なＬＥＤ素子のみが点灯され、照射に寄与しないＬＥＤ素子は消灯されるようになっている。
【００４４】
前者の固定読みに際しては、自動原稿給送装置６０を開放して、原稿Ｇをコンタクトガラス１８上にセットする。このとき、原稿Ｇの左端を左指示板２０に当接させ、また後端を後指示板２１に当接させて後端基準でセットする。自動原稿給送装置６０を原稿Ｇの上から閉鎖すると、一旦、光源１２のすべてのＬＥＤ素子Ｌ１〜Ｌ２２が点灯され、原稿Ｇからの反射光がＣＣＤ１４に入射される。このときの通紙幅方向に沿っての入射光の違いに基づいて、原稿Ｇのサイズ（通紙幅）が検知される。制御手段７０は、この検知結果に基づいて、画像読取りの際に点灯されるＬＥＤ素子を決定する。例えば、後端基準でコンタクトガラス１８にセットされた原稿が、Ａ４の縦（長方形の長辺が長手方向と一致する）の場合には、上述のように、ＬＥＤ素子Ｌ１〜Ｌ１６の合計１６個のＬＥＤ素子が点灯されることになる。
【００４５】
つづいて、作業者が筐体１６に取り付けられている操作パネル（不図示）を操作して読取開始ボタン（不図示）を押す。これにより、照明用光学移動枠ユニット２３が原稿Ｇの左端よりも左側の読取開始位置に配置され、ここから右方に移動する。これに伴い、照明用光学移動枠ユニット２３に搭載されている光源１２が原稿Ｇの画像面を読取ラインＬに沿って照射（主走査）しながら、右方に移動して副走査し、原稿Ｇの画像面をその全領域にわたって、光照射する。画像面からの反射光は、さらに第１ミラー２７，第２ミラー２８，第３ミラー３２で反射され、結像レンズ１３を介して、ＣＣＤ１４に導かれる。これにより、原稿Ｇの画像面が全領域にわたって読み取られる。
【００４６】
一方、後者の流し読みに際しては、自動原稿給送装置６０を閉鎖した状態で、給紙トレイ６１上に原稿Ｇをその画像面を上に向けた状態で載置し、原稿Ｇの後端及び前端にサイド規制板６５，６６を当接させることで、原稿Ｇを給紙トレイ６１の中央にセットする。これにより、原稿Ｇの通紙幅が検知される。操作パネルの読取開始ボタンを押すと、照明用光学移動枠ユニット２３が左指示板２０の左側のコンタクトガラス１８ａの画像読取部Ｒの下方の読取位置に移動する。給紙トレイ６１上の原稿Ｇは、搬送ローラ６２等によって画像読取部Ｒに搬送される。このとき、光源１２から照射された照射光は、画像読取部Ｒを通過する原稿Ｇの画像面によって反射され、上述の固定読みの場合と同様、第１ミラー２７，第２ミラー２８，第３ミラー３２で反射され、結像レンズ１３を介して、ＣＣＤ１４に導かれる。これにより、原稿Ｇの画像面が全領域にわたって読み取られる。流し読みに際し、例えば、原稿ＧがＡ４の縦通しの場合には、ＬＥＤ素子Ｌ１〜Ｌ２２のうち、中央側のＬＥＤ素子Ｌ４〜ＬＥＤ素子Ｌ２９が点灯され、外側のＬＥＤ素子Ｌ１〜Ｌ３及びＬＥＤ素子Ｌ２０〜Ｌ２２は消灯される。
【００４７】
本実施形態では、点光源であるＬＥＤ素子Ｌ１〜Ｌ２２は、図１に示す制御手段７０によって、点灯条件を個別に制御することができるようになっている。例えば、ＬＥＤ素子の点灯個数及びどのＬＥＤ素子が点灯されるかは、制御手段７０によって制御される。
【００４８】
図３に示す固定読みの例では、制御手段７０は、以下のサイズの原稿Ｇに対して、以下のＬＥＤ素子を点灯させるようにしている。
【００４９】
Ａ６Ｒ：ＬＥＤ素子Ｌ１〜Ｌ９
Ｂ６Ｒ：ＬＥＤ素子Ｌ１〜Ｌ１１
Ａ５Ｒ：ＬＥＤ素子Ｌ１〜Ｌ１２
Ｂ５Ｒ：ＬＥＤ素子Ｌ１〜Ｌ１４
Ａ４Ｒ：ＬＥＤ素子Ｌ１〜Ｌ１６
Ｂ５，Ｂ４：ＬＥＤ素子Ｌ１〜Ｌ１９
Ａ４，Ａ３：ＬＥＤ素子Ｌ１〜Ｌ２２。
【００５０】
逆に言うと、上述のＬＥＤ素子以外のＬＥＤ素子、つまり原稿の照射に寄与しないＬＥＤ素子は、消灯するようにしている。上述の例では、ＬＥＤ素子Ｌ１〜Ｌ９は、いずれのサイズ（通紙幅）の原稿Ｇに対しても点灯することになり、原稿Ｇのサイズが大きくなるほど、点灯させるＬＥＤ素子が多くなることがわかる。上述のように、原稿Ｇの読取に寄与しないＬＥＤ素子は、消灯するようにすることにより、光源１２及びその近傍の昇温を抑制するとともに、電力の浪費を防止するようにしている。
【００５１】
流し読みの場合も同様に、原稿Ｇの通紙幅に対応するＬＥＤ素子のみを点灯し、それ以外の照射に寄与しないＬＥＤ素子は消灯するようにしている。流し読みでは、原稿Ｇは、中央基準で給紙トレイ６１上にセットされ、ＬＥＤ素子Ｌ１〜Ｌ２２の中央を通過するので、原稿Ｇのサイズ（通紙幅）にかかわらず、原稿Ｇに対応する中央側のいくつかのＬＥＤ素子は常時点灯され、それ以外の外側（前側及び後側）のＬＥＤ素子が消灯される。そして、原稿Ｇの通紙幅が広くなるほど、点灯されるＬＥＤ素子が増加することになる。
【００５２】
本実施形態では、ＬＥＤ素子Ｌ１〜Ｌ２２として、白色ＬＥＤ素子を使用した。白色ＬＥＤ素子は、カラーの原稿Ｇの読取りや高速での原稿Ｇの読取りに適しているが、高輝度であるため、点灯時の発熱量が多いという欠点がある。
【００５３】
そこで、本実施形態では、図１に示すように、ＬＥＤ素子Ｌ１〜Ｌ２２及びこれによって熱せられる他部材（温度管理対象部材）、例えば光源用メイン基盤２５やコンタクトガラス１８，１８ａを冷却するために、冷却ファン７１として給気ファン７２及び排気ファン７３を設けた。ところで、冷却ファン７１を回転させると、騒音が発生し、また、電力を消費することになる。したがって、冷却ファン７１の運転は、必要最小限とすることが好ましい。以下では、この前提に基づいて、制御手段７０により、冷却ファン７１の運転制御を行うようにしている。
【００５４】
図１に示す例では、冷却ファン７１として、筐体１６の左側壁４５に給気ファン７２を設け、また筐体１６の底板７４に排気ファン７３を設けている。前後方向の位置については、給気ファン７２、排気ファン７３のいずれも左側壁４５、底板７４のほぼ中央に設けた。その理由は、給気ファン７２及び排気ファン７３によって形成される空気の流れが、前後方向に長い光源１２の中央近傍で最も円滑に流れるようにするためである。すなわち、複数枚の原稿Ｇの画像を連続的に読み取る際には、主に自動原稿給送装置６０を使用することになり、この場合には、原稿Ｇが中央基準で読み取られるために、ＬＥＤ素子Ｌ１〜Ｌ２２のうち、中央側に位置するＬＥＤ素子が連続的に使用されて、光源１２は、中央側で昇温が激しくなるからである。給気ファン７２には、筐体１６の内側の収納室Ｓに塵埃が入り込むことを防止するために、フィルタ７５が取り付けられている。収納室Ｓに塵埃が入り込むと、塵埃が第１ミラー２７，第２ミラー２８，第３ミラー３２や結像レンズ１３に付着して光路を遮断するため、画像に黒筋ができたりするおそれがあるからである。
【００５５】
冷却ファン７１は、上述のＬＥＤ素子Ｌ１〜Ｌ２２の点灯個数を制御する制御手段７０によって運転制御される。すなわち、冷却ファン７１の回転及び停止は、光源１２、光源用メイン基板２５、プラテンガラス１８，１８ａ等が、ある決まった所定の温度以上にならないように、制御手段７０によって決定される。この場合、制御手段７０は、冷却ファン７１を必要以上に回転させないようにすることで、冷却ファン７１の回転による騒音を低減し、電力の浪費を防止するようにしている。
【００５６】
本実施形態では、光源１２が原稿Ｇの画像面を直接照射することに起因する照度ムラ（以下「物面照度ムラ」という。）、さらには結像レンズ１３の特性に起因するＣＣＤ１４における照度ムラ（以下「像面照度ムラ」という。）を、反射板２６による間接照射によって低減するようにしている。以下、この点について図５〜図８を参照して詳述する。
【００５７】
図５に、光源１２から照射された光が、ＣＣＤ１４に到達するまでの光路Ｋを抜き出して示す。以下では、光路Ｋを、適宜、実線で示す直接照射光の光路Ｋａと、点線で示す間接照射の光路Ｋｂとに分けて説明する。ここで直接照射光は、光源１２から照射され、導光レンズ１９を通過して読取ラインＬにおいて、原稿Ｇの画像面を直接照射する光である。一方、間接照射光は、光源１２から照射されて、反射板２６の反射面２６ａで反射された後、読取ラインＬにおいて、画像面を間接照射する光である。直接照射光も、間接照射光も、画像面で反射された後は、同様に、第１ミラー２７，第２ミラー２８，第３ミラー３２で反射され、結像レンズ１３で結像されてＣＣＤ１４に導かれる。
【００５８】
ところで、上述のように、光源１２は、複数のＬＥＤ素子Ｌ１〜Ｌ２２を所定のピッチＰでライン状に整列させることで構成されている。このため、光源１２からの直接光によって照射された原稿Ｇの画像面には物面照度ムラが発生し、また、ＣＣＤ１４では像面照度ムラが発生する。
【００５９】
図７に、本実施形態に係る反射板２６を使用した場合の、物面照度及び物面照度を示す。これと比較すべく、まず、図６を参照して、従来、発生していた物面照度ムラ、像面照度ムラについて説明する。なお、光源１２の長手方向に沿った方向に位置については、ＬＥＤ素子Ｌ１１と反射板８０の反射面８０ａ上の点ｂ１と、物面照度における波ｃの頂部ｃ１と、像面照度の波ｄの頂部ｄ１とが同じ位置である。同様に、ＬＥＤ素子Ｌ１０，Ｌ１１間の中央と、反射面８０ａ上の点ｂ２と、物面照度の波ｃの谷部ｃ２と、像面照度の波ｄの谷部ｄ２とが同じ位置である。図６中（ａ）は、光源を構成するＬＥＤ素子Ｌ１〜Ｌ２２の配列状態を示している。同図では、ＬＥＤ素子Ｌ１〜Ｌ２２は、右側から左側に向けて、所定のピッチＰでライン状に整列されている。なお、以下の説明では、ＬＥＤ素子Ｌ１〜Ｌ２２の整列方向を、適宜、光源１２の長手方向という。ＬＥＤ素子Ｌ１〜Ｌ２２のうち、中央の２個のＬＥＤ素子Ｌ１１，Ｌ１２のちょうど中間を縦に横切る一点鎖線は、光軸中心（画像中心）Ｃを表している。この光軸中心Ｃは、２２個のＬＥＤ素子Ｌ１〜Ｌ２２からなる光源１２の中心であり、また、上述の自動原稿給送装置６０（図２参照）の給紙トレイ６１上でセットされてサイド規制板６５，６６によって位置決めされた原稿Ｇの通紙幅方向の中心と一致する。図６（ｂ）は、図５中の反射板２６に代えて従来の反射板８０を配設した場合のＡ−Ａ線矢視図である。従来の反射板８０は、図５に示す前面視においては、表面の反射面８０ａの形状が緩やかに凹状に湾曲した曲線状となっている。この曲線は、例えば、楕円の一部、円弧の一部等によって形成されている。反射板８０の反射面８０ａは、いわゆる凹面鏡となっている。従来の反射面８０ａは、Ａ−Ａ線矢視図における形状（光源１２の長手方向に沿った形状）は、直線状に形成されている。つまり、裏面８０ａと反射面（表面）８０ａとの距離である厚さが、光源１２の長手方向に沿っての位置にかかわらず、一定となっている。
【００６０】
図６（ｃ）は、光源１２の長手方向に沿った物面照度の分布を示している。同図において左右方向は、光源１２の長手方向の位置を示し、また、上下方向は、物面照度を示している。上側ほど照度が高く、下側ほど照度が低い。物面照度は、全体として、右側から左側にかけてほぼ同形の細かい波ｃを繰り返すような形状を示す。光源１２の長手方向に位置について、照度が高い波の頂部（例えば頂部ｃ１）の位置は、ＬＥＤ素子（例えばＬＥＤ素子Ｌ１１）の位置１１に対応している。また、照度が低い波の谷部（例えば谷部ｃ２）は、相互に隣接する２個のＬＥＤ素子の中央（例えば、ＬＥＤ素子Ｌ１０，１１の間の中央）に対応している。そして、光源１２の長手方向に沿っての位置について、頂部から底部に向かって、物面照度が徐々に減少していく。物面照度は、この細かい波ｃの頂部と谷部との差が大きいほど、照度ムラが大きいことになる。このように、従来例では、明るい部分と暗い部分とが、ＬＥＤ素子間のピッチＰと同じピッチで繰り返されて物面照度ムラを発生させる。
【００６１】
このように、光源１２が点光源であるＬＥＤ素子Ｌ１〜Ｌ２２をライン状に整列させることで構成されているので、原稿Ｇの画像面には、光源１２の直接照射により、光源１２の長手方向に、ＬＥＤ素子Ｌ１〜Ｌ２２のピッチＰに対応した物面照度ムラが発生する。また、反射板８０の反射面８０ａが（ｂ）に示す断面形状において直線状に形成されているので、反射面８０ａからの間接照射による物面照度についても、直接照射ほどではないが直接照射による物面照度と同じ傾向の物面照度ムラを発生させる。したがって、直接照射及び間接照射の結果として、原稿Ｇの画像面には、上述の図６（ｃ）に示すような、物面照度ムラが発生する。
【００６２】
図６（ｄ）は、光源１２の長手方向に沿った像面照度を示している。同図において左右方向は、光源１２の長手方向に沿った位置を示し、また、上下方向は、像面照度を示している。上側ほど照度が高く、下側ほど照度が低い。像面照度は、同図に一点鎖線で示す曲線ｍ、すなわち光源１２の長手方向の中央が高く、両端部が低い緩やかな凸状を示す曲線ｍと、（ｃ）に示す像面照度の細かい波ｃと同様の細かい波ｄとを合成したような形状の曲線となる。像面照度の波ｃの光源１２の長手方向の位置について、頂部（例えば、頂部ｄ１）は、ＬＥＤ素子（例えばＬＥＤ素子Ｌ１１）及び物面照度の波の頂部（例えば頂部ｃ１）に対応している。また、谷部（例えば、谷部ｄ２）は、相互に隣接する２個のＬＥＤ素子の間の中央（例えばＬＥＤ素子Ｌ１０，Ｌ１１の間の中央）に対応している。（ｄ）の像面照度における細かい波ｄは、上述の（ａ）に示す物面照度の細かい波ｃが原因となるものであり、緩やかな曲線ｍは、結像レンズ１３の特性（画角が広いとレンズの周辺部の光量が画面中心よりも少なくというコサイン４乗則）に起因するものである。
【００６３】
図７を参照して、上述の物面照度ムラを低減するようにした、本実施形態に係る反射板２６について詳述する。なお、光源１２の長手方向に沿った方向の位置については、ＬＥＤ素子Ｌ１１と反射面２６ａの波ｃの谷部ｂ３と、物面照度における波ｃの頂部ｃ３と、像面照度の波ｄの頂部ｄ３とが同じ位置である。同様に、ＬＥＤ素子Ｌ１０，Ｌ１１間の中央と、反射面２６ａの波ｂの頂部ｂ４と、物面照度の波ｃの谷部ｃ４と、像面照度の波での谷部ｄ４とが同じ位置である。図７（ａ）に示す光源１２については、図６（ａ）に示すものと同じある。図７（ｂ）は、図５中の反射板２６のＡ−Ａ線矢視図を示している。本実施形態では、同図に示すように、反射板２６の反射面２６ａを、光源１２の長手方向に沿って細かい波ｂが連続するような形状に形成した。この反射面２６ａにおける細かい波ｂのピッチは、図６（ａ）に示す物面照度の波ｃのピッチと同じに、また、光源１２における隣接するＬＥＤ素子間のピッチＰと同じになるようにした。また、図７（ｂ）の反射面２６ａの小さな波ｂの頂部及び谷部の位置は、図６（ａ）の物面照度の小さな波ｃの頂部及び谷部に対して半波分だけ、光源１２の長手方向にずらして形成するようにした。すなわち、光源１２の長手方向に沿っての位置については、図７（ｂ）の反射面２６ａにおける頂部（例えば頂部ｂ４）は、２個のＬＥＤ素子間の中央（例えば、ＬＥＤ素子Ｌ１０，Ｌ１１間の中央）及び図６（ｃ）の物面照度の谷部（例えば谷部ｃ２）に対応する位置に配置されている。また、図７（ｂ）の反射面２６ａにおける谷部（例えば谷部ｂ３）は、２個のＬＥＤ素子間の中央（例えば、ＬＥＤ素子Ｌ１０，Ｌ１１間の中央）及び図６（ｃ）の物面照度の谷部（例えば谷部ｃ２）に対応する位置に配置されている。光源１２の長手方向に沿っての反射板２６の厚さ（裏面２６ｂと反射面２６ａとの距離）は、谷部ｂ３の厚さｔ３が薄く、頂部ｂ４の厚さｔ４が厚くなっており、谷部ｂ３から頂部ｂ４にかけて徐々に厚くなっていく。
【００６４】
略言すると、反射板２６は、その反射面２６ａの形状を、図６（ｃ）に示す物面照射ムラの小さな波ｃと同じピッチの小さな波ｂの繰り返しで形成し、かつ物面照度ムラの波ｃの頂部に、反射面２６ａの波ｂの谷部が対応し、物面照度ムラの波ｃの谷部に、反射面２６ａの波ｂの頂部が対応するように形成した。
【００６５】
反射面２６ａをこのように頂部と谷部とを滑らかに連結するような波状に形成することで、図６（ｃ）に示すムラの多い物面照度ムラを、ムラの少ない図７（ｃ）に示す物面照度ムラに低減させることができた。すなわち、原稿Ｇの画像面を、光源１２によって直接照射することにより、形成される物面照度ムラを、反射板２６の反射面２６ａからの間接照射によって相殺するようにした。その構成として、光源１２の長手方向に沿った、反射面２６ａの形状を、図６（ｃ）に示す物面照度の細かい波ｃと同じピッチの細かい波ｂの繰り返しとして形成し、さらに、位相が半波分だけずれるように、すなわち、物面照度の波ｃの頂部に、反射面２６ａの波ｂの谷部が対応し、また、物面照度の波ｃの谷部に、反射面２６ａの波ｂの頂部が対応するようにした。これにより、反射面２６ａから反射されて原稿Ｇの画像面を照射する間接照射光が、図６（ｃ）における物面照射ムラの明部と暗部とを相殺して、図７（ｃ）に示すように、物面照度ムラを低減することができる。なお、図７（ｂ）の反射面２６ａにおける頂部と谷部との高さの差は、実験等によって、物面照度ムラを有効に低減できる寸法に設定するものとする。
【００６６】
上述の図７（ｂ）の反射板２６では、（ｃ）に示すように物面照度ムラ、及び（ｄ）に示すように物面照度ムラに起因する像面照度ムラは低減させることができる。しかし、コサイン４乗則に起因する像面照度ムラを低減させることができない。
【００６７】
そこで、反射板８１の反射面８１ａの形状を、図８（ｂ）に示す形状に形成することで、コサイン４乗則に起因する像面照度ムラをも低減させるようにした。なお、同図に示す例では、光源１２の長手方向に沿った方向の位置については、ＬＥＤ素子Ｌ１１と反射面２６ａの波ｃの谷部ｂ５と、物面照度における波ｃの頂部ｃ５と、像面照度の波ｄの頂部ｄ５とが同じ位置である。同様に、ＬＥＤ素子Ｌ１０，Ｌ１１間の中央と、反射面２６ａの波ｂの頂部ｂ６と、物面照度の波ｃの谷部ｃ６と、像面照度の波ｄの谷部ｄ６が同じ位置である。図８（ｂ）に示すように、反射板８１の反射面８１ａを図７（ｂ）に示す細かい波ｂの連続して形成し、さらに、これら細かい波ｂを、図６（ｄ）の曲線ｍとは逆に光源１２の長手方向の中央が低く両端部が高くなるように緩やかに凹状に湾曲する曲線上に乗るように形成した。光源１２の長手方向に沿っての反射板２６の厚さ（裏面８１ｂと反射面８１ａとの距離）は、谷部ｂ５の厚さｔ５が薄く、頂部ｂ６の厚さｔ６が厚くなっており、谷部ｂ５から頂部ｂ６にかけて徐々に厚くなっていく。さらに、複数の細かい波ｂの頂部の厚さを比較すると、中央に位置する頂部ほど厚さが薄く、外側に位置する頂部ほど厚さが厚くなっている。同様に、複数の細かい波ｂの谷部の厚さを比較すると、中央に位置する谷部ほど厚さが薄く、外側に位置する谷部ほど厚さが厚くなっている。これにより、まず、図８（ｃ）に示すように、物面照度における、光源１２がＬＥＤ素子Ｌ１〜Ｌ２２を整列させて構成したことに起因する物面照度ムラが低減され、さらに、物面照度を積極的に中央側が低く、両端側が高くなるようにすることができるので、（ｄ）に示すように像面照度においては、まず、全体として、平らに均されて、コサイン４乗則に起因する照度ムラが低減され、さらに細かな波の頂部（例えば頂部ｄ５）と谷部（例えば谷部ｄ６）との差が低減されて点光源であることに起因する像面照度ムラも低減される。
【００６８】
以上の実施形態においては、図５中の前面視における反射板２６，８１の反射面２６ａ，８１ａの形状が、緩やかに凹状に湾曲した曲面（曲線）によって形成されている場合を例に説明したが、本発明はこれに限定されるものではない。これに代えて、図５中の前面視における形状が、例えば、図９（ａ）に示すように、反射板８２の反射面８２ａを、１つの屈曲部８２ｂで「く」字形に屈曲された２つの直線状部分で構成したり、図９（ｂ）に示すように、反射板８３の反射面８３ａを、２つの屈曲部８３ｂ，８３ｃで屈曲された３つの直線状部分で構成したりすることも可能である。
【００６９】
また、上述の実施形態では、直接照射による物面照度ムラを低減させるための反射板２６，８１の反射面２６ａ，８１ａに細かい波を設けた場合を説明したが、この波形としては、滑らかに連続する曲線によって形成されたものに限らず、例えば、三角形状や台形状としてもよい。さらには、例えば、反射面とはよりも反射率が低いテープを、反射面における物面照度の高い部分に対応して貼り付け、反射面にテープのない反射率の高い部分とテープがある反射率の低い部分とを交互に繰り返し設けるようにしてもよい。これによっても、光源１２に起因する物面照度ムラ、及び像面照度ムラを低減することができる。
【００７０】
また、上述の実施形態では、ＬＥＤ素子Ｌ１〜Ｌ２２が同じピッチＰでライン状に整列されている場合を例に説明した。本発明は、これに限定されず、ＬＥＤ素子Ｌ１〜Ｌ２２のピッチが一部で異なる場合、例えば、両端側のＬＥＤ素子Ｌ１やＬＥＤ素子Ｌ２２近傍で、ピッチを詰めてＬＥＤ素子を配設したような場合にも適用することができる。このような場合でも上述と同様に、反射板の反射面に細かい波を形成する際に、上述と同様に、反射面における、ＬＥＤ素子に対応する部分に谷部を形成し、相互に隣接する２つのＬＥＤ素子間の中央に対応する部分に頂部を形成することで、対処することが可能である。
【００７１】
また、光源１２の照射角度によっては、光源１２で原稿Ｇの画像面を直接照射した際に、必ずしも、ＬＥＤ素子の対応する部分の照度が高く、２個のＬＥＤ素子間に対応する部分の照度が低くなるとは限らない。このような場合には、反射面の形状を、画像面における照度が高くなる部分に対応する部分を谷部に形成し、照度が低くなる部分に対応する部分を頂部に形成すればよい。
【００７２】
＜実施形態２＞
図１０を参照して、本発明に係る画像読取装置１１を備えた画像形成装置１（本発明に係る画像形成装置）の一例を説明する。同図は、画像形成装置１を正面側から見た模式図である。なお、同図に示す画像形成装置１は、電子写真方式のプリンタ，複写機等の画像形成装置である。
【００７３】
同図に示すように、画像形成装置１には、シート給送部２と、画像形成部３と、定着部４と、シート排出部５とが設けてある。このうち、シート給送部２には、給紙カセット２ａ、給紙ローラ２ｂ、給送ローラ２ｃ、リタードローラ２ｄ、搬送ローラ２ｅ、レジストローラ２ｆ等が配設されている。給紙カセット２ａ内に積層状態で収納された複数枚のシートＰは、その最上位のものが、給送ローラ２ｂによって給紙され、給送ローラ２ｃ及びリタードローラ２ｄによって重送を防止されて１枚だけ下流側に給送される。さらには搬送ローラ対２ｅによって停止中のレジストローラ対２ｆに当接されて、斜行が矯正される。シートＰは、その後、画像形成部３の感光ドラム３ａ上に形成されたトナー像にタイミングを合わせるようにして、画像形成部３に供給される。
【００７４】
画像形成部３には、感光ドラム３ａ、帯電ローラ３ｂ、露光装置３ｃ、現像装置３ｄ、テンションローラ３ｅ、クリーニング装置３ｆ等が配設されている。感光ドラム３ａは、矢印方向（時計回り）に回転駆動され、帯電ローラ３ｂによって所定の極性・電位に一様に帯電される。帯電後の感光ドラム３ａは、露光装置３ｃによる露光により、露光部分の電荷が除去されて静電潜像が形成される。この露光は、上述の画像読取装置１１によって読み見取られた原稿の画像情報に基づいて行われる。
【００７５】
感光ドラム３ａ上に形成された静電潜像は、現像装置３ｄによってトナーが付着されてトナー像として現像される。
【００７６】
このトナー像は、感光ドラム３ａと転写ローラ３ｅとの間に形成される転写ニップ部において、上述のシート給送部２から供給されたシートＰに転写される。
【００７７】
トナー像転写後の感光ドラム３ａは、表面に残ったトナー（転写残トナー）がクリーニング装置３ｆによって除去され、次の画像形成に供される。
【００７８】
一方、トナー像転写後のシートＰは、定着部４において、定着ローラ４ａと加圧ローラ４ｂとに間に形成される定着ニップ部を通過する際に、加熱・加圧されて表面にトナー像が定着される。トナー像定着後のシートＰは、排紙ローラ対５ａによって、排紙トレイ５ｂ上に排出される。
【００７９】
上述の画像形成装置１においては、上述の画像読取装置１１における効果を、画像形成装置１として奏することができる。
【００８０】
なお、上述では、画像形成装置１が電子写真方式の画像形成装置である場合を例に説明したが、本発明はこれに限定されるものではなく、静電記録方式、インクジェット方式、ワイヤドット方式、熱転写方式等の画像形成装置に対しても適用することができる。
【産業上の利用可能性】
【００８１】
上述では、本発明を画像読取装置に使用する場合を例に説明したが、本発明は、これ以外に例えば、点光源を複数、ライン状に整列させて棒状の光源を構成する一般的な場合にも広く適用することができる。
【図面の簡単な説明】
【００８２】
【図１】画像読取装置の縦断面を正面側（前側）から見た図であり、光学系を説明する図である。
【図２】画像読取装置の縦断面を正面側（前側）から見た図であり、駆動系を説明する図である。
【図３】光源と原稿のサイズと画像読取時の原稿の位置との関係を説明する上面図であり、原稿サイズがＡ列，Ｂ列である場合を説明する図である。
【図４】光源と原稿のサイズと画像読取時の原稿の位置との関係を説明する上面図であり、原稿サイズがインチサイズである場合を説明する図である。
【図５】光源から照射された光がＣＣＤに到達するまでの光路を説明する図である。
【図６】従来の、（ａ）光源におけるＬＥＤ素子の位置と、（ｂ）反射板の反射面の形状と、（ｃ）物面照度と、（ｄ）像面照度との関係を説明する図である。
【図７】本実施形態における、（ａ）光源におけるＬＥＤ素子の位置と、（ｂ）反射板の反射面の形状と、（ｃ）物面照度と、（ｄ）像面照度との関係を説明する図である。
【図８】他の実施形態における、（ａ）光源におけるＬＥＤ素子の位置と、（ｂ）反射板の反射面の形状と、（ｃ）物面照度と、（ｄ）像面照度との関係を説明する図である。
【図９】（ａ），（ｂ）は、反射板のそれぞれ別の例を正面側から見た図である。
【図１０】本発明に係る画像読取装置を備えた画像形成装置を正面側から見た模式図である。
【符号の説明】
【００８３】
１……画像形成装置、２……シート供給部、３……画像形成部、１０……照明装置、１１……画像読取装置、１２……光源、１３……結像レンズ、１４……ＣＣＤ（固体撮像素子）、１５……駆動装置（移動装置）、１９……導光レンズ、２６，８１……反射板（反射部材）、２６ａ，８１ａ……反射面、Ｇ……原稿、Ｌ１〜Ｌ２２……ＬＥＤ素子（光源素子）
【図１】
2008175885.tif 000003
【図２】
2008175885.tif 000004
【図３】
2008175885.tif 000005
【図４】
2008175885.tif 000006
【図５】
2008175885.tif 000007
【図６】
2008175885.tif 000008
【図７】
2008175885.tif 000009
【図８】
2008175885.tif 000010
【図９】
2008175885.tif 000011
【図１０】
2008175885.tif 000012